(57)【要約】【課題】自動販売機から盗んだ金を自由に使えなくするとともに、窃盗者を検挙し易くするためお金や窃盗者に液体を噴射する液体噴射装置を備えた自動販売機の提供。【解決手段】入金されたお金や窃盗者に塗料など液体を噴射するための液体噴射装置、液体を噴射するためのエアーソレノイドコイル５と、エアーソレノイドコイルを励磁するためのリレー４、自動販売機の扉が閉まると接点２ａ側に入り、扉が開くと接点２ｂに入り、２ａ接点に安全確認ランプが接続され、接点２ｂにリレー４が接続されたリミットスイッチ２、扉をロックあるいはロック解除するとともに、接点６ｂと、接点２ａと安全確認ランプ３で閉回路を形成し、接点６ａと接点２ｂとリレー４とで閉回路を形成するキースイッチ６からなる液体噴射装置で構成する。【選択図】　　図１
2004110194.tif 000002
【特許請求の範囲】
【請求項１】
自動販売機、現金自動支払機など内部に現金が収納されている、扉を備えた現金収納装置において、施錠された扉を解錠することなく開けると現金収納装置内に収納されている現金および／または窃盗者に向けて液体を噴射する液体噴射装置を備えた現金収納装置。
【請求項２】
自動販売機、現金自動支払機など内部に現金が収納されている、扉を備えた現金収納装置において、
収納されている現金および／または窃盗者に向けて液体を噴射するための液体噴射装置と、
エアを供給して液体噴射装置から液体を噴射するためにエア供給系を駆動させるエアーソレノイドコイル５およびこのエアーソレノイドコイルを励磁するためのリレー４と、
扉が閉まっている状態では一方の接点２ａの側に入り、扉が開いた状態では他方の接点２ｂに入るとともに、前記一方の接点２ａに安全確認ランプ３が接続され、前記他方の接点２ｂに前記リレー４が接続されたリミットスイッチ２と、
扉を施錠あるいは解錠するとともに、前記リミットスイッチ２の前記一方の接点２ａと安全確認ランプ３で閉回路を形成する一方の接点６ｂと、前記リミットスイッチ２の前記他方の接点２ｂと前記リレー４とで閉回路を形成する他方の接点６ａと、
前記リミットスイッチ２の前記一方の接点２ａと安全確認ランプ３で閉回路を形成する一方の接点６ｂと、からなるキースイッチ６からなることを特徴とする液体噴射装置を備えた現金収納装置。
【請求項３】
前記液体が塗料又は接着剤であることを特徴とする請求項１又は２記載の液体噴射装置を備えた現金収納装置。
【請求項４】
液体に臭気を発する臭気剤が混入されていることを特徴とする請求項１、２又は３記載の塗料噴射装置を備えた現金収納装置。
【発明の詳細な説明】
【０００１】
【発明の属する技術分野】
本発明は、自動販売機の施錠された扉を解錠しないでバールなどで無理やりこじ開けると、入金されている現金および／または窃盗者に向けて塗料や接着剤などの液体を噴射する液体噴射装置を備えた現金収納装置に関する。
【０００２】
【従来の技術】
ジュース、たばこなどの商品を自動販売する自動販売機では、硬貨や紙幣を投入すると商品が商品取出し口へ出てくる。自動販売機には商品や投入された紙幣や硬貨が収納されているので、販売機本体と扉との間の隙間にバールの先端が差し込まれて扉が無理やりこじ開けられて、内部の商品や現金が盗まれることがある。また、現金自動支払機においても同様のことが起こっている。
【０００３】
この窃盗を防止するために、扉を開けると、ブザーなどで警報を発して報知するものが知られている（実用新案登録第３０１１５５４号公報、実用新案登録第３００６２２８号公報、特開平１１−１８５１２６号公報など）。
【０００４】
【発明が解決しようとする課題】
しかしながら、警報が鳴って自動販売機のところへ駆けつけたときには、既に現金は窃盗され、また窃盗者もいなくなっている場合が多く、窃盗者を探し出すのも難しい。そのため、窃盗者は盗んだ現金を自由に使うことになる。
【０００５】
そこで、本発明は、現金が収納されている自動販売機、現金自動支払機等の現金収納装置から盗んだ金を自由に使えなくするとともに、窃盗者を検挙し易くするため、現金および／または窃盗者に向けて塗料や接着剤などの液体を噴射する液体噴射装置を備えた現金収納装置を提供するものである。
【０００６】
【課題を解決するための手段】
本発明の液体噴射装置を備えた現金収納装置は、自動販売機、現金自動支払機など内部に現金が収納されている、扉を備えた現金収納装置において、施錠された扉を解錠することなく開けると現金収納装置内に収納されている現金および／または窃盗者に向けて液体を噴射する塗料噴射装置を備えたことを特徴とする。
【０００７】
本発明は、自動販売機、金銭自動支払機など内部に現金が収納されいる、扉を備えた現金収納装置において、収納されている現金および／または窃盗者に向けて液体を噴射するための液体噴射装置と、エアを供給して液体噴射装置から液体を噴射するためにエア供給系を駆動させるエアーソレノイドコイル５およびこのエアーソレノイドコイルを励磁するためのリレー４と、扉が閉まっている状態では一方の接点２ａの側に入り、扉が開いた状態では他方の接点２ｂに入るとともに、前記一方の接点２ａに安全確認ランプ３が接続され、前記他方の接点２ｂに前記リレー４が接続されたリミットスイッチ２と、扉を施錠あるいは解錠するとともに、前記リミットスイッチ２の前記一方の接点２ａと安全確認ランプ３で閉回路を形成する一方の接点６ｂと、前記リミットスイッチ２の前記他方の接点２ｂと前記リレー４とで閉回路を形成する他方の接点６ａとからなるキースイッチ６により構成することができる。
【０００８】
【発明の実施の形態】
本発明では、商品自動販売機、現金自動支払機など装置の内部に現金が収納されているものを総称して現金収納装置と称する。
【０００９】
本発明では、現金収納装置の施錠された扉を解錠することなく開けると、液体噴射装置で液体が現金および／または窃盗者に付着する。液体は、液体の付着により盗まれた現金および／または窃盗者が発見し易くなる塗料や接着剤などを使用する。また、液体に臭気を発する臭気剤を混入させることにより、盗まれた現金および／または窃盗者に付着した液体から臭気を発するようにして、窃盗をわかり易くすることもできる。
【００１０】
本発明では、液体噴射装置として、エアーで液体を噴射する形式の液体噴射装置を使用することができる。
【００１１】
【実施例】
図１は本発明について、自動販売機に適用した回路の一実施例を示し、自動販売している通常の状態を示す図である。
【００１２】
電源１には自動販売機の扉の開閉によりＯＮ−ＯＦＦする複数のリミットスイッチ２が接続されている。リミットスイッチ２は、複数配置することにより、扉の開閉を確実に検知することができる。
【００１３】
各リミットスイッチ２の一方の接点２ａには、それぞれ安全確認ランプ３が接続され、また、他方の接点２ｂにはリレー４が接続されている。リミットスイッチ２は、扉が閉まっている状態では一方の接点２ａの側に入り、扉が開いた状態では他方の接点２ｂに入っている。安全確認ランプ３は、外側から目視可能に配設し、安全確認ランプ３の点灯により、リミットスイッチ２が正常に動作することを確認するためのものである。
【００１４】
リレー４がエアーソレノイドコイル５に接続されている。リレー４が作動してスイッチがＯＮされるとエアーソレノイドコイル５が作動し、エア供給系が作動して塗料噴射装置にエアーが供給されて、塗料が現金および／または窃盗者に向けて噴射される。
【００１５】
安全確認ランプ３、エアーソレノイドコイル５をそれぞれＯＮ−ＯＦＦするとともに、扉を施錠あるいは施錠解除するキースイッチ６が設けられている。キースイッチ６の一方の接点６ｂは、リミットスイッチ２の接点２ａを介して安全確認ランプ３に接続され、他方の接点６ａはリミットスイッチ２の接点２ｂを介してリレー４に接続されている。
【００１６】
従って、キースイッチ６の一方の接点６ｂと、リミットスイッチ２の一方の接点２ａと安全確認ランプ３で閉回路を形成し、キースイッチ６の他方の接点６ａとリミットスイッチ２の他方の接点２ｂとリレー４とで閉回路を形成する。
【００１７】
図２は本発明の構成の配置を示す斜視図、図３は扉を開いた状態を示す斜視図である。
【００１８】
噴射装置７は扉８に配設され、塗料を噴射する噴射口９ａが紙幣識別収納装置１０、硬貨識別収納装置１１および金庫１２に向けて設けられ、さらに窃盗者に向けて噴射する噴射口９ｂが自動販売機本体の上部に配置されている。
【００１９】
リミットスイッチ２、一方の接点２ａ、他方の接点２ｂ、安全確認ランプ３、リレー４、エアーソレノイドコイル５、キースイッチ６、他方の接点６ａ、一方の接点６ｂは、扉８側に配設される。
【００２０】
次に、本実施例の動作について説明する。
【００２１】
（１）通常の状態の場合
図１の自動販売している通常の状態では、扉は施錠されて閉まっているので、キースイッチ６は接点６ａ側にあり、リミットスイッチ２は接点２ａ側にあるので、閉回路が形成されず、安全確認ランプ３は点灯することはなく、リレー４も作動しない。
【００２２】
（２）商品の補充作業、現金の回収作業の場合
図４は自動販売機の扉を開けて商品を補充したり現金を回収する場合を示す図で、キースイッチ６を接点６ｂ側に入れて扉の施錠を解除する。この状態では、キースイッチ６の接点６ａと、リミットスイッチ２の接点２ａと安全確認ランプ３で実線で示すように閉回路を形成しランプ３が点灯するが、リレー４は閉回路を形成しないのでリレー４は作動せず塗料噴射装置も作動しない。安全確認ランプ３の点灯により、回路が正常に動作することを確認できる。
【００２３】
次いで、扉を開けると、リミットスイッチ２が点線で示すように接点２ｂ側に入るので、安全確認ランプ３は消え、リレー２も働かないので塗料噴射装置も作動せず、商品の補充作業、現金の回収作業ができる。
【００２４】
作業終了後、扉を閉めると、リミットスイッチ２が実線で示す接点２ａ側に入るので、安全確認ランプ３が点灯するが、リレー４は作動しない。その後、キースイッチ６を接点６ｂ側に入れて扉を施錠すると安全確認ランプ３は消える。
【００２５】
（３）施錠された扉をこじ開けた場合
図５は施錠された扉をこじ開けた場合を示す図である。扉を開けると、リミットスイッチ２が接点２ｂ側に入るので、リレー４が作動し、エアーソレノイドコイル５が作動してエア供給系が作動し、塗料噴射装置にエアが供給されて塗料が現金および窃盗者に向かって噴射され、付着させる。
【００２６】
【発明の効果】
本発明によれば、施錠された扉を解錠することなく無理やり開けると、塗料などの液体が現金および／または窃盗者に向けて噴射され、液体が付着した現金は使いづらくなるばかりでなく、使うと検挙される確立が高くなり、また窃盗者は付着した塗料などの液体により探しやすくなるので、防犯効果を期待できる。
【図面の簡単な説明】
【図１】本発明について、自動販売機に適用した回路の一実施例を示し、自動販売している通常の状態を示す図である。
【図２】本発明の構成の配置を示す斜視図である。
【図３】扉を開いた状態を示す斜視図である。
【図４】扉を開けて商品を補充したり現金を回収する場合を示す図である。
【図５】施錠された扉を解錠することなく開けた場合を示す図である。
【符号の説明】
１：電源　　　　　　　　　　２：リミットスイッチ
２ａ：一方の接点　　　　　　２ｂ：他方の接点
３：安全確認ランプ　　　　　４：リレー
５：エアーソレノイドコイル　６：キースイッチ
６ａ：他方の接点　　　　　　６ｂ：一方の接点
７：液体噴射装置　　　　　　８：扉
９ａ，９ｂ：噴射口　　　　１０：紙幣識別収納装置
１１：硬貨識別収納装置　　　１２：金庫
【図１】
2004110194.tif 000003
【図２】
2004110194.tif 000004
【図３】
2004110194.tif 000005
【図４】
2004110194.tif 000006
【図５】
2004110194.tif 000007